(57)【要約】      （修正有）【課題】検出装置の測定周期を設備の状態に応じて容易に変更する状態収集システムを提供する。【解決手段】状態収集システムは、検出装置１０と、通信端末４０と、データ記憶カード６０と、監視装置２と、を備え、検出装置１０は、物理量を測定する検出部と所定の情報を非接触で記憶可能なタグ部を有し、データ記憶カード６０は、前記情報を格納し、かつ、通信端末４０と非接触で通信可能に構成され、通信端末４０は、データ記憶カード６０から読み取った前記情報を検出装置１０のタグ部に非接触で記憶させることが可能なタグ制御部を有し、検出装置１０は、監視装置２に前記情報を送信し、監視装置２は、前記情報に基づいて検出装置１０に測定周期変更コマンドを送信する。【選択図】図５
2020197921.tif 000002
【特許請求の範囲】
【請求項１】
検出装置と、通信端末と、データ記憶カードと、監視装置と、を備え、
前記検出装置は、物理量を測定する検出部と所定の情報を非接触で記憶可能なタグ部を有し、
前記データ記憶カードは、前記情報を格納し、且つ前記通信端末と非接触で通信可能に構成され、
前記通信端末は、前記データ記憶カードから読み取った前記情報を前記検出装置の前記タグ部に非接触で記憶させることが可能なタグ制御部を有し、
前記検出装置は、前記監視装置に前記情報を送信し、
前記監視装置は、前記情報に基づいて前記検出装置に測定周期変更コマンドを送信する、
状態収集システム。
【請求項２】
前記情報は、前記検出装置の動作を変更させる動作設定情報を含む、
請求項１に記載の状態収集システム。
【請求項３】
前記情報は、前記検出装置が設置された機器及び／又は設備の設備状態情報を含む、
請求項１に記載の状態収集システム。
【請求項４】
前記監視装置は、前記設備状態情報と測定周期の対応表を記憶可能であり、前記情報と前記対応表から前記測定周期変更コマンドを生成する、
請求項３に記載の状態収集システム。
【請求項５】
前記監視装置は、ネットワーク構築装置によって構成され、
前記ネットワーク構築装置は、前記検出装置とネットワークを構築する、
請求項１から４のいずれか１つに記載の状態収集システム。
【請求項６】
前記監視装置は、ネットワーク構築装置とデータ蓄積装置によって構成され、
前記ネットワーク構築装置は、前記検出装置とネットワークを構築し、前記データ蓄積装置と通信可能に構成され、
前記データ蓄積装置は、前記ネットワーク構築装置を介して前記検出装置に前記測定周期変更コマンドを送信する、
請求項１から４のいずれか１つに記載の状態収集システム。
【発明の詳細な説明】
【技術分野】
【０００１】
本発明は、状態収集システムに関する。
【背景技術】
【０００２】
プラントに設置されるスチームトラップ、モータやポンプ等の機器や設備の監視のため、定期的に物理量を検出することが行われる。例えば、特許文献１には、プラント機器に取り付けられてそのプラント機器の監視を行う監視用センサが、管理サーバと広域ネットワークを介して接続されているメインテナンス支援システムが開示されている。特許文献１に開示されているメインテナンス支援システムでは、定期的に、監視用センサが検出したプラント機器に応じた温度、振動、回転数等の物理量を含む測定データが、無線通信で管理サーバに送信される。
【先行技術文献】
【特許文献】
【０００３】
【特許文献１】特開２００６−２０９５９４号公報
【発明の概要】
【発明が解決しようとする課題】
【０００４】
このようなシステムにおいて、監視用センサは、設備の状態に応じて物理量の測定周期を変更することが望ましい。例えば、設備状態が異常状態に近い場合は測定周期を短くする、設備状態が停止している場合は測定周期を長くする或いは停止する等である。
しかしながら、特許文献１に記載のメインテナンス支援システムの監視用センサは、予め定義された周期毎に物理量の測定を行うという課題があった。
【０００５】
本発明の１つの目的は、検出装置の測定周期を設備の状態に応じて容易に変更する状態収集システムを提供することにある。本発明の他の目的は、以下に例示する態様及び好ましい実施形態、並びに添付の図面を参照することによって、当業者に明らかになるであろう。
【課題を解決するための手段】
【０００６】
本発明に係る状態収集システムは、検出装置と、通信端末と、監視装置と、データ蓄積装置と、を備え、
前記検出装置は、物理量を測定する検出部と所定の情報を非接触で記憶可能なタグ部を有し、
前記データ記憶カードは、前記情報を格納し、且つ前記通信端末と非接触で通信可能に構成され、
前記通信端末は、前記データ記憶カードから読み取った前記情報を前記検出装置の前記タグ部に非接触で記憶させることが可能なタグ制御部を有し、
前記検出装置は、前記監視装置に前記情報を送信し、
前記監視装置は、前記情報に基づいて前記検出装置に測定周期変更コマンドを送信する。
【発明の効果】
【０００７】
本発明によれば、検出装置の測定周期を設備の状態に応じて容易に変更する状態収集システムを提供することができる。
【図面の簡単な説明】
【０００８】
【図１】本発明の状態収集システムの全体構成の例を示す図である。
【図２】図１に示される状態収集システムの各構成要素の内部構造の例を示す図である。
【図３】図１に示されるネットワーク構築装置が記憶するネットワーク構築情報及び図１に示されるデータ蓄積装置が記憶する機器情報のデータ構造の例を示す図である。
【図４】図１に示されるデータ記憶カードの例を示す図である。
【図５】図１に示される状態収集システムの第１の態様における検出装置の測定周期変更のシーケンス図である。
【図６】図１に示される状態収集システムの第１の態様におけるデータ構造を示す図である。
【図７】図１に示される状態収集システムの第２の態様における検出装置の測定周期変更のシーケンス図である。
【図８】図１に示される状態収集システムの第２の態様におけるデータ構造を示す図である。
【図９】図１に示される状態収集システムの第３の態様における検出装置の測定周期変更のシーケンス図である。
【図１０】図１に示される状態収集システムの第３の態様におけるデータ構造を示す図である。
【図１１】図１に示される状態収集システムの第４の態様における検出装置の測定周期変更のシーケンス図である。
【図１２】図１に示される状態収集システムの第４の態様におけるデータ構造を示す図である。
【発明を実施するための形態】
【０００９】
以下に説明する好ましい実施形態は、本発明を容易に理解するために用いられている。従って、当業者は、本発明が、以下に説明される実施形態によって不当に限定されないことを留意すべきである。
【００１０】
図１に示されるように、状態収集システム１は、検出装置１０と通信端末４０とデータ記憶カード６０と監視装置２を備える。監視装置２は、検出装置１０とネットワークを構築するネットワーク構築装置２０、検出装置１０の検出値を蓄積するデータ蓄積装置３０によって構成される。検出装置１０は、複数個備えられ、各検出装置１０は、図示されていないプラント内に配置される複数の機器のうち対応する機器に取り付けられる。複数の検出装置１０は、ネットワーク構築装置２０が構築する例えば無線ＬＡＮ（Local Area Network）及びＺｉｇＢｅｅ（登録商標）等の規格を用いた無線センサネットワーク（WSN: Wireless Sensor Network）に接続することができる。ＷＳＮは、いわゆるメッシュ型ネットワークであることが好ましい。すなわち、複数の検出装置１０がネットワーク構築装置２０と接続し、各検出装置１０（例えば検出装置１０Ａ）は、それ自身が隣接する他の１または複数の検出装置１０（例えば検出装置１０Ｂ及び検出装置１０Ｃ）とも接続することが好ましい。また、通信端末４０は、検出装置１０への情報の記憶及び情報の取得に用いる。ネットワーク構築装置２０から距離が離れていること等によってＷＳＮと直接接続できない検出装置１０（例えば検出装置１０Ｃ）が存在するときは、状態収集システム１は中継器５０を更に備えて、ＷＳＮの接続可能範囲を補間してもよい。
【００１１】
図１に示される例では、３個の検出装置１０Ａ，１０Ｂ，１０Ｃがネットワーク構築装置２０によって構築されるＷＳＮに接続されるように示されているが、ＷＳＮに接続される検出装置１０は、４個以上であってもよく、１又は２個であってもよい。また、実際の状態収集システム１では、複数のネットワーク構築装置（図１のネットワーク構築装置２０及び図示されていない他の１又は複数のネットワーク構築装置）が備えられている。図示されていない他の１又は複数のネットワーク構築装置には、図１と同様に、図示されていない複数の検出装置が接続されている。したがって、監視装置２は、１個のデータ構築装置と複数のネットワーク構築装置によって構成されてもよい。
【００１２】
ネットワーク構築装置２０は、通信ネットワークを利用可能に構成されている。通信ネットワークは、３Ｇ回線またはＬＴＥ（Long Term Evolution）回線等のモバイルネットワークや、有線ＬＡＮや無線ＬＡＮ等のローカルエリアネットワーク、ワイドエリアネットワーク（WAN: Wide Area Network）等が存在する。以下、「３Ｇ回線またはＬＴＥ回線等のモバイルネットワーク」を「３Ｇ／ＬＴＥ」とも呼ぶ。ネットワーク構築装置２０は、通信ネットワークを通じてデータ蓄積装置３０と通信可能に構成されている。
【００１３】
図２には、図１に示される状態収集システム１の各構成要素の内部構成の例が示される。図２に示される検出装置１０は、制御部１１、検出部１２、ネットワーク接続部１３、記憶部１４、報知部１５及びタグ部１８を有する。また、検出装置１０は、図示されていない電源ケーブル等で電力を供給することが困難な場所に取り付けられることが想定されるため、更にバッテリ１６を有していることが好ましい。検出装置１０は、例えば制御部１１、検出部１２、ネットワーク接続部１３、記憶部１４、報知部１５、及びタグ部１８の少なくとも１つに対して、電源ケーブルまたはバッテリ１６からの電力の供給を制御する電源制御部１７を更に有してもよい。
【００１４】
検出装置１０の制御部１１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、検出装置１０の機能の全部または一部を実行可能である。
【００１５】
検出装置１０の検出部１２は、検出装置１０が取り付けられた機器の物理量を周期的に検出する。ここで、機器とは、例えばスチームトラップ、回転機等のプラント機器や工場の製造設備等であり、物理量とは、例えば機器の温度、振動、加速度、湿度、圧力、ｐｈ（ペーハー）等の検出値である。
【００１６】
検出装置１０のネットワーク接続部１３は、ネットワーク構築装置２０によって構築されるＷＳＮに接続可能に構成されている。
【００１７】
検出装置１０の記憶部１４は、例えば磁気記憶装置やフラッシュメモリ等の不揮発性メモリからなり、検出装置１０を特定する特定情報である、例えばセンサＩＤが記憶されている。
【００１８】
検出装置１０の報知部１５は、例えばＬＥＤ、ブザー等であって、制御部１１の制御によって起動または停止する。
【００１９】
検出装置１０のバッテリ１６は、検出装置１０が電源オン状態であるときに、少なくとも制御部１１に対して電力を供給する。検出部１２、ネットワーク接続部１３、記憶部１４、報知部１５、及びタグ部１８に対する電力の供給は、制御部１１によって制御されてもよく、電源制御部１７によって制御されてもよい。
検出装置１０の電源制御部１７は、例えばリレーシーケンスまたはトランジスタ等のスイッチング素子等を有する、自己保持回路を備える。
【００２０】
検出装置１０のタグ部１８は、タグＩＣ１８−１及びタグアンテナ１８−２を有する、例えばＮＦＣ（Near Field Communication）に用いられるＲＦ（Radio Frequency）タグである。タグ部１８は、後述する通信端末４０が、非接触で情報をタグＩＣ１８−１に例えば書き込むことによって記憶させることができ、且つ、このタグＩＣ１８−１に非接触で記憶されている情報を例えば読み込むことによって取得することができるように構成されている。検出装置１０は、タグ部１８へ情報が格納された場合に、ネットワークへの参加や自身の動作設定、情報のネットワーク構築装置２０への送信などの所定の動作を行う。なお、タグ部１８は、タグＩＣ１８−１に記憶された情報を記憶部１４に記憶させてもよく、記憶部１４からタグＩＣ１８−１に情報を読み出してもよい。
【００２１】
図２に示されるネットワーク構築装置２０は、制御部２１、通信部２２、記憶部２３、ネットワーク構築部２４を有する。
【００２２】
ネットワーク構築装置２０の制御部２１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、ネットワーク構築装置２０の機能の全部または一部を実行可能である。
【００２３】
ネットワーク構築装置２０の通信部２２は、例えば３Ｇ／ＬＴＥを利用可能に構成されている。ネットワーク構築装置２０が通信部２２を有することによって、ネットワーク構築装置２０は３Ｇ／ＬＴＥを通じてデータ蓄積装置３０と通信可能に構成されている。
【００２４】
ネットワーク構築装置２０の記憶部２３は、例えば磁気記憶装置やフラッシュメモリ等の不揮発性メモリからなり、後述するネットワーク構築情報を記憶可能である。
【００２５】
ネットワーク構築装置２０のネットワーク構築部２４は、ＷＳＮを構築可能である。ネットワーク構築装置２０が構築するＷＳＮは、特定のネットワーク構築装置２０によって構築されたＷＳＮであることを特定するネットワーク構築情報、例えばネットワークＩＤが与えられている。ネットワーク構築装置２０がネットワーク構築部２４を有することによって、ネットワーク構築装置２０はＷＳＮを通じて検出装置１０と通信可能に構成されている。ネットワーク構築情報（データ００１）は、例えばネットワークＩＤ、このネットワークＩＤで特定されるＷＳＮに接続されている検出装置１０のセンサＩＤ及びこれらの検出装置１０のＷＳＮへの接続状態のリストを含む。ネットワークＩＤで特定されるＷＳＮに中継器５０が接続されているときは、ネットワーク構築情報（データ００１）は、中継器ＩＤ及び中継器のＷＳＮへの接続状態を更に含んでもよい。
【００２６】
図２に示されるデータ蓄積装置３０は、制御部３１、通信部３２及びデータ蓄積部３３を有する。
【００２７】
データ蓄積装置３０の制御部３１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、データ蓄積装置３０の機能の全部または一部を実行可能である。
【００２８】
データ蓄積装置３０の通信部３２は、例えば３Ｇ／ＬＴＥを利用可能に構成され、ネットワーク構築装置２０と通信可能に構成されている。
【００２９】
データ蓄積装置３０のデータ蓄積部３３は、磁気記録媒体やフラッシュメモリ等の不揮発性メモリで構成され、制御部３１と一体であってもよい。データ蓄積部３３は、例えば図３に示されている機器情報（データ００２）を記憶する。機器情報（データ００２）は、例えば複数のネットワークＩＤ、各ネットワークＩＤで特定されるＷＳＮに接続されている検出装置１０のセンサＩＤ（特定情報）、検出装置１０の接続状態、検出装置１０の種別情報、検出装置１０の動作条件、機器の状態、検出装置１０が検出する検出値（物理量）、作業者ＩＤ及び作業内容を含む。検出装置１０の種別情報は検出部１２の種別、例えば振動センサや温度センサ等の状態収集システム１用のセンサ及び一定の仕様を満たした汎用センサ（市販されているセンサ）を含む。検出装置１０の動作条件は、例えば検出装置１０の検出部１２の検出開始時刻や検出周期を含む。また、中継器５０が接続されているＷＳＮが存在するときは、中継器ＩＤ、これらのＷＳＮへの接続状態及び中継器の取付情報を更に含んでもよい。なお、機器情報（データ００２）には、ネットワーク構築情報（データ００１）の全ての項目が含まれている。
【００３０】
通信端末４０は、制御部４１、タグ制御部４２、記憶部４３、発光部４４、ブザー４５、バッテリ４６を有する。また、通信端末４０は、バッテリ４６からの電力の供給を制御する電源制御部４７を更に有してもよい。通信端末４０は、情報の取得をタグ制御部４２のみで行い、作業者が入力操作を行うためのタッチパネル式のディスプレイのような表示部及び入力部を備えない。
【００３１】
通信端末４０の制御部４１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、通信端末４０の機能の全部または一部を実行可能である。
【００３２】
通信端末４０のタグ制御部４２は、タグリーダ／ライタ４２−１及びタグ制御アンテナ４２−２を有する。
タグリーダ／ライタ４２−１は、検出装置１０のタグ部１８へ非接触で情報を書き込むことによって格納させることができる。また、タグリーダ／ライタ４２−１は、検出装置１０のタグ部１８や後述するデータ記憶カード６０のタグ部６１から非接触で情報を読み込むことによって取得することができる。
【００３３】
通信端末４０の記憶部４３は、例えば磁気記憶装置やフラッシュメモリ等の不揮発性メモリからなり、タグ制御部４２が読み込んだ情報を格納することができる。
【００３４】
通信端末４０の発光部４４は、例えば複数のＬＥＤからなり、制御部４１の制御によってタグ制御部４２の状態やイベントに応じて所定の色で発光可能である。
通信端末４０のブザー４５は、制御部４１の制御によってタグ制御部４２の状態やイベントに応じて所定の音を出力可能である。
【００３５】
通信端末４０のバッテリ４６は、通信端末４０が電源オン状態であるときに、少なくとも制御部４１に対して電力を供給する。タグ制御部４２、記憶部４３、発光部４４及びブザー４５に対する電力の供給は、例えば制御部４１を介して電力が供給されてもよく、電源制御部４７によって制御されてもよい。
通信端末４０の電源制御部４７は、例えばリレーシーケンスまたはトランジスタ等のスイッチング素子等を有する、自己保持回路を備える。
【００３６】
中継器５０は、ＷＳＮの接続可能範囲を補間するために、任意に追加される装置である。中継器５０は、制御部５１、ネットワーク接続部５２、記憶部５３、報知部５４、バッテリ５５、電源制御部５６、及びタグ部５７を有する。中継器５０は、検出装置１０と概ね同様の内部構造であるが、検出部を有さない点で検出装置１０と異なる。
【００３７】
図４を併せて参照する。図４は、データ記憶カード６０の例を示す図である。
データ記憶カード６０は、例えばＩＣカードであり、非接触通信をするタグ部６１を有し、樹脂や紙等からなるその外装部にそれぞれの種類に応じた対応色を備える。
【００３８】
データ記憶カード６０は、情報が記憶された複数種類のカード型記憶媒体であり、ネットワークＩＤカード６０−１、作業者ＩＤカード６０−２、作業内容（設置時用）カード６０−３、作業内容（設備状態）カード６０−４、作業内容（動作設定）カード６０−５を有する。
ネットワークＩＤカード６０−１は、情報としてネットワーク構築装置２０が構築するＷＳＮに接続するためのネットワーク情報が格納されている。このネットワーク情報には、ＷＳＮを特定するネットワーク特定情報であるネットワークＩＤ及びこのネットワークＩＤで特定されるＷＳＮに接続するためのネットワークパスワードが含まれる。ネットワークＩＤカード６０−１は、ＷＳＮの数だけ、すなわち、ネットワーク構築装置２０の数だけ複数用意される。
作業者ＩＤカード６０−２は、情報として作業者を特定する作業者特定情報である、作業者ＩＤが格納されている。作業者ＩＤカード６０−２は、作業者の数だけ複数用意される。
作業内容（設置時用）カード６０−３は、情報として検出装置１０に接続される検出部１２の種別を示す種別情報（以下、単に「検出部１２の種別」とも呼ぶ）を格納する。作業内容（設置時用）カード６０−３は、状態収集システム１で準備された検出部１２の種別の数だけ複数用意され、例えば「温度センサ」、「振動センサ」、「センサなし（中継器５０）」、「汎用センサ」などがある。
作業内容（設備状態）カード６０−４は、情報として検出装置１０が設置される設備の状態を示す設備状態情報を含んでおり、例えば設備状態として「異常なし」（６０−４ａ）、「要注意」（６０−４ｂ）、「停止中」（６０−４ｃ）などがある。さらに作業内容（設備状態）カード６０−４は、「異常発生」、「修理依頼」、「修理完了」などを用意してもよい。
作業内容（動作設定）カード６０−５は、情報として設置後の検出装置１０に対して動作を変更させる動作設定情報を含んでおり、例えば測定周期の変更として「３００秒」（６０−５ａ）、「９００秒」（６０−５ｂ）、「３６００秒」（６０−５ｃ）などがある。さらに作業内容（動作設定）カード６０−５は、別の測定周期や「測定停止」などを用意してもよい。
作業内容は、例えば英数字と記号の組み合わせからなるＩＤとして格納される。データ蓄積装置３０には、このＩＤに関連付けられて例えば作業内容を示す紐付けデータ（例えばテキストデータ）が格納される。これにより、送信データの負荷を軽減することができ、また、データ蓄積装置３０側でのデータ管理の自由度が増す。前述の作業者ＩＤについても同様に英数字と記号の組み合わせからなり、データ蓄積装置３０に作業者ＩＤに関連付けられて作業者を示す紐付けデータ（例えばテキストデータ）が格納される。
【００３９】
データ記憶カード６０のタグ部６１は、タグＩＣ６１−１及びタグアンテナ６１−２を有する、例えばＮＦＣ（Near Field Communication）に用いられるＲＦ（Radio Frequency）タグである。
タグ部６１は、通信端末４０が、このタグＩＣ６１−１に非接触で記憶されている情報を読み込むことによって取得できるように構成されている。
【００４０】
さらに、プラントの管理担当者は、３Ｇ／ＬＴＥに接続可能な図示されていないノートパソコンやスマートフォン等の管理端末を用いることで、３Ｇ／ＬＴＥを介してデータ蓄積装置３０の機器情報（データ００２）を閲覧及び編集することができる。その結果、管理担当者は機器を直接監視しにいくことなく、機器の物理量を遠隔で監視することが可能になり、異常状態を発見したときに、通信端末４０を携帯する作業者に修理作業の指示等をすることが可能になる。
【００４１】
図５、図６を参照して、第１の態様における状態収集システム１の測定周期の変更について説明する。図５は、第１の態様における状態収集システム１の検出装置１０の測定周期変更のシーケンス図を、図６は、第１の態様における状態収集システム１のデータ構造を示す図である。
【００４２】
ステップＳ１０１において、作業者は、通信端末４０を作業者ＩＤカード６０−２にかざし、作業者特定情報（データ１０１）をタグ制御部４２に読み出す。
【００４３】
ステップＳ１０２において、作業者は、通信端末４０を作業内容（動作設定）カード６０−５にかざし、動作設定情報（データ１０２）をタグ制御部４２に読み出す。
このとき作業者は、複数ある作業内容（動作設定）カード６０−５から設備の状態に応じたものを選択することができる。
【００４４】
ステップＳ１０３において、作業者は、通信端末４０を検出装置１０にかざし、作業者特定情報及び動作設定情報をタグ部ＩＣ１８に書き込む。
【００４５】
ステップＳ１０４において、検出装置１０は、特定情報（センサＩＤ）、動作設定情報、及び作業者特定情報から測定周期変更要求（データ１０３）を生成する。
【００４６】
ステップＳ１０５において、検出装置１０は、測定周期変更要求（データ１０３）をネットワーク構築装置２０に送信する。
【００４７】
ステップＳ１０６において、ネットワーク構築装置２０は、検出装置１０から受信した測定周期変更要求（データ１０３）に自身のネットワークＩＤを付加し、データ蓄積装置３０に送信する（データ１０４）。
【００４８】
ステップＳ１０７において、データ蓄積装置３０は、測定周期変更要求（データ１０３）の特定情報から検出装置１０を特定し、測定周期変更コマンド（データ１０５）を生成して検出装置１０に送信する。
【００４９】
ステップＳ１０８において、ネットワーク構築装置２０は、データ蓄積装置３０から受信した測定周期変更コマンド（データ１０５）を検出装置１０に送信する。
【００５０】
ステップＳ１０９において、検出装置１０は、測定周期を受信した測定周期変更コマンド（データ１０５）に含まれる測定周期に変更し、記憶部１４に記憶する。
これにより、検出装置１０は、測定周期を容易に変更することができる。
【００５１】
ステップＳ１１０において、データ蓄積装置３０は、検出装置１０の測定周期を変更したことを機器情報（データ１０６）に反映する。
なお、データ蓄積装置３０は、検出装置１０から測定周期変更完了の通知を受け取り、それをトリガとしてステップＳ１１０を実行してもよい。
【００５２】
図７、図８を参照して、第２の態様における状態収集システム１の測定周期の変更について説明する。図７は、第２の態様における状態収集システム１の検出装置１０の測定周期変更のシーケンス図を、図８は、第２の態様における状態収集システム１のデータ構造を示す図である。
【００５３】
ステップＳ２０１において、管理担当者は、データ蓄積装置３０に設備状態と測定周期の対応表（データ２０１）をあらかじめ記憶させておく。
【００５４】
ステップＳ２０２において、作業者は、通信端末４０を作業者ＩＤカード６０−２にかざし、作業者特定情報（データ２０２）をタグ制御部４２に読み出す。
【００５５】
ステップＳ２０３において、作業者は、通信端末４０を作業内容（設備状態）カード６０−４にかざし、設備状態情報（データ２０３）をタグ制御部４２に読み出す。
【００５６】
ステップＳ２０４において、作業者は、通信端末４０を検出装置１０にかざし、作業者特定情報及び設備状態情報をタグ部１８に書き込む。
【００５７】
ステップＳ２０５において、検出装置１０は、特定情報（センサＩＤ）、設備状態情報、及び作業者特定情報から設備状態変更通知（データ２０４）を生成する。
【００５８】
ステップＳ２０６において、検出装置１０は、設備状態変更通知（データ２０４）をネットワーク構築装置２０に送信する。
【００５９】
ステップＳ２０７において、ネットワーク構築装置２０は、検出装置１０から受信した設備状態変更通知（データ２０４）にネットワークＩＤを付加してデータ蓄積装置３０に送信する（データ２０５）。
【００６０】
ステップＳ２０８において、データ蓄積装置３０は、設備状態変更通知（データ２０４）から検出装置１０の設備状態情報を取得し、設備状態と測定周期の対応表（データ２０１）から検出装置１０の測定周期を決定する。
【００６１】
ステップ２０９において、データ蓄積装置３０は、設備状態変更通知（データ２０４）の特定情報から検出装置１０を特定し、測定周期変更コマンド（データ２０６）を生成して検出装置１０に送信する。
【００６２】
ステップＳ２１０において、ネットワーク構築装置２０は、データ蓄積装置３０から受信した測定周期変更コマンド（データ２０６）を検出装置１０に送信する。
【００６３】
ステップＳ２１１において、検出装置１０は、測定周期を受信した測定周期変更コマンド（データ２０６）に含まれる測定周期に変更し、記憶部１４に記憶する。
これにより、検出装置１０は、設備状態情報を送信ことにより測定周期を容易に変更することができる。
【００６４】
ステップＳ２１２において、データ蓄積装置３０は、検出装置１０の測定周期を変更したことを機器情報（データ２０７）に反映する。
なお、データ蓄積装置３０は、検出装置１０から測定周期変更完了の通知を受け取り、それをトリガとしてステップＳ２１２を実行してもよい。
【００６５】
図９、図１０を参照して、第３の態様における状態収集システム１の測定周期の変更について説明する。第３の態様は、第１の態様の変形例であり、監視装置２がネットワーク構築装置２０のみで構成され、ネットワーク構築装置２０がデータ蓄積装置３０の役割を兼ねる。
図９は、第３の態様における状態収集システム１の検出装置１０の測定周期変更のシーケンス図を、図１０は、第３の態様における状態収集システム１のデータ構造を示す図である。なお、第１の態様と同様のデータ構造や処理については、同じ符号を付しその説明を省略する。
【００６６】
ステップＳ１０１において、作業者は、通信端末４０を作業者ＩＤカード６０−２にかざし、作業者特定情報（データ１０１）をタグ制御部４２に読み出す。
【００６７】
ステップＳ１０２において、作業者は、通信端末４０を作業内容（動作設定）カード６０−５にかざし、動作設定情報（データ１０２）をタグ制御部４２に読み出す。
このとき作業者は、複数ある作業内容（動作設定）カード６０−５から設備の状態に応じたものを選択することができる。
【００６８】
ステップＳ１０３において、作業者は、通信端末４０を検出装置１０にかざし、作業者特定情報及び動作設定情報をタグ部ＩＣ１８に書き込む。
【００６９】
ステップＳ１０４において、検出装置１０は、特定情報（センサＩＤ）、動作設定情報、及び作業者特定情報から測定周期変更要求（データ１０３）を生成する。
【００７０】
ステップＳ１０５において、検出装置１０は、測定周期変更要求（データ１０３）をネットワーク構築装置２０に送信する。
【００７１】
ステップＳ３０１において、ネットワーク構築装置２０は、測定周期変更要求（データ１０３）の特定情報から検出装置１０を特定し、測定周期変更コマンド（データ３０１）を生成して検出装置１０に送信する。
【００７２】
ステップＳ１０９において、検出装置１０は、測定周期を受信した測定周期変更コマンド（データ３０１）に含まれる測定周期に変更し、記憶部１４に記憶する。
これにより、検出装置１０は、測定周期を容易に変更することができる。
【００７３】
ステップＳ３０２において、ネットワーク構築装置２０は、検出装置１０の測定周期を変更したことを機器情報（データ３０２）に反映する。ネットワーク構築装置２０は、別のネットワーク構築装置との接続を有さないため、自己のネットワークに属する（ネットワークＩＤが同じ）検出装置１０及び中継器５０の機器情報のみが記憶される。
なお、データ蓄積装置３０は、検出装置１０から測定周期変更完了の通知を受け取り、それをトリガとしてステップＳ３０２を実行してもよい。
【００７４】
図１１、図１２を参照して、第４の態様における状態収集システム１の測定周期の変更について説明する。第４の態様は、第２の態様の変形例であり、監視装置２がネットワーク構築装置２０のみで構成され、ネットワーク構築装置２０がデータ蓄積装置３０の役割を兼ねる。
図１１は、第４の態様における状態収集システム１の検出装置１０の測定周期変更のシーケンス図を、図１２は、第４の態様における状態収集システム１のデータ構造を示す図である。
【００７５】
ステップＳ４０１において、管理担当者は、ネットワーク構築装置２０に設備状態と測定周期の対応表（データ４０１）をあらかじめ記憶させておく。
【００７６】
ステップＳ２０２において、作業者は、通信端末４０を作業者ＩＤカード６０−２にかざし、作業者特定情報（データ２０２）をタグ制御部４２に読み出す。
【００７７】
ステップＳ２０３において、作業者は、通信端末４０を作業内容（設備状態）カード６０−４にかざし、設備状態情報（データ２０３）をタグ制御部４２に読み出す。
【００７８】
ステップＳ２０４において、作業者は、通信端末４０を検出装置１０にかざし、作業者特定情報及び設備状態情報をタグ部１８に書き込む。
【００７９】
ステップＳ２０５において、検出装置１０は、特定情報（センサＩＤ）、設備状態情報、及び作業者特定情報から設備状態変更通知（データ２０４）を生成する。
【００８０】
ステップＳ２０６において、検出装置１０は、設備状態変更通知（データ２０４）をネットワーク構築装置２０に送信する。
【００８１】
ステップＳ４０２において、ネットワーク構築装置２０は、設備状態変更通知（データ２０４）から検出装置１０の設備状態情報を取得し、設備状態と測定周期の対応表（データ４０１）から検出装置１０の測定周期を決定する。
【００８２】
ステップＳ４０３において、ネットワーク構築装置２０は、設備状態変更通知（データ２０４）の特定情報から検出装置１０を特定し、測定周期変更コマンド（データ４０２）を生成して検出装置１０に送信する。
【００８３】
ステップＳ２１１において、検出装置１０は、測定周期を受信した測定周期変更コマンド（データ４０２）に含まれる測定周期に変更し、記憶部１４に記憶する。
これにより、検出装置１０は、設備状態情報を送信ことにより測定周期を容易に変更することができる。
【００８４】
ステップＳ４０４において、データ蓄積装置３０は、検出装置１０の測定周期を変更したことを機器情報（データ４０３）に反映する。ネットワーク構築装置２０は、別のネットワーク構築装置との接続を有さないため、自己のネットワークに属する（ネットワークＩＤが同じ）検出装置１０及び中継器５０の機器情報のみが記憶される。
なお、データ蓄積装置３０は、検出装置１０から測定周期変更完了の通知を受け取り、それをトリガとしてステップＳ４０４を実行してもよい。
【００８５】
上述の態様は、以下の効果を奏する。
【００８６】
本発明に係る状態収集システム１は、検出装置１０と、通信端末４０と、データ記憶カード６０と、監視装置２と、を備え、
検出装置１０は、物理量を測定する検出部１２と所定の情報を非接触で記憶可能なタグ部１８を有し、
データ記憶カード６０は、前記情報を格納し、かつ、通信端末４０と非接触で通信可能に構成され、
通信端末４０は、データ記憶カード６０から読み取った前記情報を検出装置１０のタグ部１８に非接触で記憶させることが可能なタグ制御部４２を有し、
検出装置１０は、データ蓄積装置３０に前記情報を送信し、
監視装置２は、前記情報に基づいて検出装置１０に測定周期変更コマンドを送信する。
【００８７】
状態収集システム１は、検出装置１０から監視装置２に情報を送信し、前記情報に基づいて検出装置１０に測定周期変更コマンドを送信することで、検出装置の測定周期を容易に変更する。
【００８８】
状態収集システム１において、前記情報は、検出装置１０の動作を変更させる動作設定情報を含む。
【００８９】
状態収集システム１は、前記情報が検出装置１０の動作を変更させる動作設定情報を含むことで、検出装置１０から監視装置２に動作設定の変更を要求することができる。また、動作設定情報を記憶したデータ記憶カード６０を複数用意することで、任意の測定周期に容易に変更する。
【００９０】
状態収集システム１において、前記情報は、検出装置１０が設置された機器及び／又は設備の設備状態情報を含む。
【００９１】
状態収集システム１は、前記情報が検出装置１０が設置された機器及び／又は設備の設備状態情報を含むことで、検出装置１０から監視装置２に機器及び／又は設備の状態を報告することができる。
【００９２】
状態収集システム１において、監視装置２は、前記設備状態情報と測定周期の対応表を記憶可能であり、前記情報と前記対応表から前記測定周期変更コマンドを生成する。
【００９３】
状態収集システム１は、監視装置２が前記設備状態情報と測定周期の対応表を記憶することで、報告された状態から検出装置１０の測定周期を決定することができる。
【００９４】
状態収集システム１において、監視装置２は、ネットワーク構築装置２０によって構成され、
ネットワーク構築装置２０は、検出装置１０とネットワークを構築する。
【００９５】
状態収集システム１は、監視装置２がネットワーク構築装置２０によって構成されることで、簡易な構成で検出装置１０の測定周期を変更することができる。
【００９６】
状態収集システム１において、監視装置２は、ネットワーク構築装置２０とデータ蓄積装置３０によって構成され、
ネットワーク構築装置２０は、検出装置１０とネットワークを構築し、データ蓄積装置３０と通信可能に構成され、
データ蓄積装置３０は、ネットワーク構築装置２０を介して検出装置１０に前記測定周期変更コマンドを送信する。
【００９７】
状態収集システム１は、監視装置２がネットワーク構築装置２０とデータ蓄積装置３０によって構成されることで、複数のネットワーク構築装置を備えてもデータ蓄積装置３０に機器情報を集約することができる。
【００９８】
なお、第３、第４の態様において、ネットワーク構築装置２０は、通信部２２を有さなくてもよい。これにより、ネットワーク構築装置２０を安価に構成することができる。
【００９９】
本発明は、上述の例示的な実施形態に限定されず、また、当業者は、上述の例示的な実施形態を特許請求の範囲に含まれる範囲まで、容易に変更することができるであろう。
【符号の説明】
【０１００】
１      状態収集システム
１０      検出装置
１２      検出部
１８      タグ部
２      監視装置
２０      ネットワーク構築装置
３０      データ蓄積装置
４０      通信端末
４２      タグ制御部
５０      中継器
６０      データ記憶カード
６０−４  作業内容（設備状態）カード
６０−５  作業内容（動作設定）カード
【図１】
2020197921.tif 000003
【図２】
2020197921.tif 000004
【図３】
2020197921.tif 000005
【図４】
2020197921.tif 000006
【図５】
2020197921.tif 000007
【図６】
2020197921.tif 000008
【図７】
2020197921.tif 000009
【図８】
2020197921.tif 000010
【図９】
2020197921.tif 000011
【図１０】
2020197921.tif 000012
【図１１】
2020197921.tif 000013
【図１２】
2020197921.tif 000014